(57)【特許請求の範囲】
【請求項１】
カップ部を有する衣類であって、
一対のカップ部、カップ支持部およびバック部を備え、
前記カップ支持部は、前記一対のカップ部の下辺部に設けられ、
前記バック部は、前記カップ支持部の脇側に取り付けられ、
前記カップ部は、上カップ部と下カップ部とから構成され、
さらに、第一の芯材を有し、
前記第一の芯材は、前記上カップ部の肌側に配置され、
前記第一の芯材は、前記上カップ部との固着前において、前記第一の芯材の下辺部の各端点と前記下辺部の略中央部とを結ぶ二線が形成する内角の角度が、前記上カップ部下辺部の各端点とバストトップ部に該当する点とを結ぶ二線が形成する内角の角度よりも小さく、
前記第一の芯材の下辺部は、前記上カップ部と前記下カップ部との境界部分および前記境界部分に隣接する部分の少なくとも一方に重ねるようにして固着されている
ことを特徴とするカップ部を有する衣類。
【請求項２】
前記第一の芯材の上辺部が、カップ部と固着されていないことを特徴とする、請求項１記載のカップ部を有する衣類。
【請求項３】
前記第一の芯材が略扇形であることを特徴とする、請求項１または２記載のカップ部を有する衣類。
【請求項４】
前記下カップ部のカップ支持部からカップ部の膨らみの頂点にかけての長さが、バージスラインの最下点から乳頭までのバスト表面の長さよりも長いことを特徴とする、請求項１から３のいずれか一項に記載のカップ部を有する衣類。
【請求項５】
前記カップ部が、カップ部の下辺部および脇上辺部を含んだ略Ｕ字状の部材と、前記略Ｕ字状部材で囲まれた内側部材とから構成され、
前記内側部材は、上側部材と下側部材とから構成され、
前記下カップ部は、前記略Ｕ字状の部材と前記下側部材から構成され、
前記上カップ部は、前記上側部材から構成されていることを特徴とする、
請求項１から４のいずれか一項に記載のカップ部を有する衣類。
【請求項６】
さらに第二の芯材を有し、
前記第二の芯材は、前記下カップ部の肌側に配置され、
前記第二の芯材は、前記下カップ部との固着前において、前記第二の芯材の上辺部の各端点と前記上辺部の略中央部とを結ぶ二線が形成する内角の角度が、前記下カップ部上辺部の各端点とバストトップ部に該当する点とを結ぶ二線が形成する内角の角度よりも小さく、
前記第二の芯材の上辺部は、前記上カップ部と前記下カップ部との境界部分および前記境界部分に隣接する部分の少なくとも一方に重ねるようにして固着されている
ことを特徴とする、請求項１から５のいずれか一項に記載のカップ部を有する衣類。
【請求項７】
前記第二の芯材の下辺部が、カップ部と固着されていないことを特徴とする、請求項６記載のカップ部を有する衣類。
【請求項８】
衣類がブラジャーであることを特徴とする、請求項１から７のいずれか一項に記載のカップ部を有する衣類。
【請求項９】
衣類が、さらに衣類本体部を有することを特徴とする、請求項１から７のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類では、下垂するバストを持ち上げてバストシルエットを整えるために、カップの肌側にパッドやサポート部材を装着するものがある。例えば、特許文献１には、確実にバストを持ち上げるとともに前中心側に押し寄せることにより、上向きのバストを造形して谷間を形成するために、カップ部の肌側に前中心側から下側を経て脇側にかけて伸縮性を有するサポート部材を備えるブラジャーが開示されている。また、ボリュームが豊かでない着用者に胸元の豊かな谷間のシルエットをつくりだすために、造形片を設けるものがある。例えば、特許文献２には、左右のカップ体のそれぞれの上縁部および内縁部に沿ってほぼ三日月状の谷間造形片を添設したブラジャーが開示されている。
【先行技術文献】
【特許文献】
【０００３】
【特許文献１】特開２００６−１３２０４４号公報
【特許文献２】特許第２６９５６３２号公報
【発明の概要】
【発明が解決しようとする課題】
【０００４】
しかし、従来のパッドやサポート部材によってバストを下から持ち上げるものでは、加齢によって下垂したバストをきれいに持ち上げることはできないという問題があった。加齢により下垂したバストは、バストが削げて上胸に丸みが出にくいという特徴があり、下から押し上げたとしても上胸にはボリュームが出ない。これにより、ブラジャー着用時にカップ部上辺がバストから浮いて、横から見ると段差があるシルエットになってしまうことが多かった。また、パッド等でバストを押しているので、着用感が窮屈であった。一方、上カップ部にボリュームを出すためにパッドや造形片を装着した場合には、不自然なシルエットになるという問題があった。
【０００５】
本発明は、不自然なシルエットにすることなく、若々しいバストシルエットをつくるとともに、着用感にも優れた、カップ部を有する衣類を提供することを目的とする。
【課題を解決するための手段】
【０００６】
前記目的を達成するために、本発明のカップ部を有する衣類は、
一対のカップ部、カップ支持部およびバック部を備え、
前記カップ支持部は、前記一対のカップ部の下辺部に設けられ、
前記バック部は、前記カップ支持部の脇側に取り付けられ、
前記カップ部は、上カップ部と下カップ部とから構成され、
さらに、第一の芯材を有し、
前記第一の芯材は、前記上カップ部の肌側に配置され、
前記第一の芯材は、前記上カップ部との固着前において、前記第一の芯材の下辺部の各端点と前記下辺部の略中央部とを結ぶ二線が形成する内角の角度が、前記上カップ部下辺部の各端点とバストトップ部に該当する点とを結ぶ二線が形成する内角の角度よりも小さく、
前記第一の芯材の下辺部は、前記上カップ部と前記下カップ部との境界部分および前記境界部分に隣接する部分の少なくとも一方に重ねるようにして固着されていることを特徴とする。
【発明の効果】
【０００７】
本発明のカップ部を有する衣類は、上カップ部肌側に芯材を有しており、前記芯材は、前記上カップ部との固着前において、前記芯材の下辺部の各端点と前記下辺部の略中央部とを結ぶ二線が形成する内角の角度が、前記上カップ部下辺部の各端点とバストトップ部に該当する点とを結ぶ二線が形成する内角の角度よりも小さい。このような芯材を固着しているため、本発明のカップ部を有する衣類は、上カップ部に膨らみをつくり、上胸からカップ部にかけてのラインを立体的でスムーズなシルエットとすることができる。また、前記芯材によってカップ部全体を立体的に保持することができるため、着用時に丸いきれいなシルエットを実現することができる。さらに、パッド等で押して保形するのではなく、カップ自体を立体的に保持することによりシルエットを整えているため、圧迫感がなく軽い着用感を得ることができる。
【図面の簡単な説明】
【０００８】
【図１】図１は、本発明のカップ部を有する衣類の一例である、第１の実施形態に係るブラジャーを示す斜視図である。
【図２】図２は、前記第１の実施形態に係るブラジャーの上カップ部と芯材を示す図である。（ａ）は、固着前の平面図であり、（ｂ）は、固着後を示す図であって、前記第１の実施形態に係るブラジャーの上カップ部付近をＩ―Ｉ方向に見た部分断面図である。
【図３】図３は、本発明のカップ部を有する衣類の他の実施形態に係るブラジャーを示す図である。（ａ）は、第２の実施形態に係るブラジャーを示す図であり、（ｂ）は、第３の実施形態に係るブラジャーを示す図であり、（ｃ）は、第４の実施形態に係るブラジャーを示す図であり、（ｄ）は、第５の実施形態に係るブラジャーを示す図である。
【図４】図４は、本発明のカップ部を有する衣類の、第６の実施形態に係るブラジャーを示す図である。
【図５】図５は、本発明のカップ部を有する衣類の、第７の実施形態に係るブラジャーを示す図である。
【図６】図６は、本発明のカップ部を有する衣類のその他の例を示す斜視図である。（ａ）は、第８の実施形態に係るブラキャミソールの一例、（ｂ）は、第９の実施形態に係るブラキャミソールの一例である。
【発明を実施するための形態】
【０００９】
本発明のカップ部を有する衣類について、例をあげて説明する。ただし、本発明は、以下の例に限定および制限されない。
【００１０】
（第１の実施形態）
図１に、本発明のカップ部を有する衣類の第１の実施形態に係るブラジャー１００を示す。図１は、バック部１０３を係止した状態の本実施形態のブラジャー１００の斜視図である。本実施形態のブラジャー１００は、一対のカップ部１０１、一対のカップ部１０１を支持するカップ支持部１０２、一対のバック部１０３および一対の肩ストラップ１０４を備えたいわゆる３／４カップのブラジャーである。一対のカップ部１０１は、上カップ部１０１Ａと下カップ部１０１Ｂとを縫着して形成されており、さらに下カップ部１０１Ｂは左右のパーツを縫着して形成されている。一対のカップ部１０１の下辺部には、一対のカップ支持部１０２が設けられ、一対のカップ支持部１０２の下辺部には、土台部１１０が設けられている。そして、一対のカップ支持部１０２は、バージスラインに沿うように形成されており、土台部１１０によって連結されている。土台部１１０を介して、カップ支持部１０２の脇側には、一対のバック部１０３の一端が取り付けられている。一対のバック部１０３の他端は、連結係止部（図示せず）が取り付けられて、背中心付近で着脱自在になっている。そして、一対のカップ部１０１には、上カップ部１０１Ａの肌側のカップ部の膨らみの頂点であるバストトップに対応する部分（バストトップ部）Ｔ近傍に、略扇形の芯材１０５が縫着されて取り付けられている。
【００１１】
図２（ａ）に、縫着前の芯材１０５と上カップ部１０１Ａの図を示す。図２（ａ）は、上カップ部１０１Ａに芯材１０５を重ねた状態の平面図である。芯材１０５の下辺部の各端点と前記下辺部の略中央部（略扇形の要に該当する部分）Ｔ２とを結ぶ二線が形成する内角の角度（θ１）は、上カップ部１０１Ａ下辺部の各端点とバストトップ部Ｔ１とを結ぶ二線で形成される内角の角度（θ２）よりも小さい。芯材１０５の下辺部は、上カップ部１０１Ａと下カップ部１０１Ｂとの境界部分１０７に沿って（すなわち、重ねた状態で）カップ部１０１に縫着される。このとき、芯材１０５のうち略扇形の要に該当する点Ｔ２が、境界部分１０７上のバストトップ部Ｔ１と一致するように縫着される。そして、図２（ｂ）に、縫着後の図を示す。図２（ｂ）は、上カップ部１０１Ａ付近を図１においてＩ―Ｉ方向に見た部分断面図である。前記のとおりθ１の方がθ２よりも小さいため、芯材１０５をカップ部１０１に縫着することによって上カップ部１０１Ａに膨らみを出すことができる。このように上カップ部１０１Ａに膨らみを作ることにより、バストが削げているためバストとカップ部１０１との間に隙間ができて上カップ部１０１Ａが内側に折れ曲がってしまうことを防ぎ、上カップ部１０１Ａを丸いシルエットに保持することができる。また、芯材１０５がカップ部１０１に縫着されることにより、芯材１０５がカップ部１０１の前中心側および脇側を引き寄せる力（ダーツ効果）が生じる。このダーツ効果によって下カップ部１０１Ｂを引き上げ、カップ部１０１全体を立体的で丸いシルエットにすることができる。一方、芯材１０５の上辺部はカップ部１０１に縫着されていない。これにより、カップ部１０１の表面に縫い線が出ず、よりきれいなシルエットを作ることができる。
【００１２】
なお、本実施形態では、略中央部Ｔ２が芯材１０５下辺部の脇側の端点よりも前中心側の端点にやや近い位置に設けられている例を挙げているが、本発明はこれに限定されるものではない。上カップ部１０１Ａの形状等に応じて、例えば、略中央部Ｔ２が、芯材１０５下辺部の前中心側の端点よりも脇側の端点にやや近い位置に設けられていても良いし、前中心側の端点と脇側の端点とのほぼ中間の位置に設けられていても良い。
【００１３】
また、本実施形態では、芯材１０５を略扇形としているが、本発明はこれに限定されるものではない。例えば、略三角形状等他の形状に芯材を形成することも考えられる。但し、芯材１０５の上辺を弧状とする方が、バストの立体的形状に芯材の上辺側部分がフィットし易い点で好適である。
【００１４】
芯材１０５の大きさおよび角度θ１の大きさは、実現したいカップのシルエットに応じて適宜調整することができる。例えば、カップ部１０１の丸みを強めたい場合は、芯材１０５を大きくして下辺部を長くするとともに、角度θ１と角度θ２との差をより大きくすればよい。ただし、芯材１０５は、上カップ部１０１Ａより大きくなることは無い。芯材１０５とカップ部１０１を縫着した状態で、カップ部１０１からはみ出さないように、芯材１０５の上辺部はカップ部１０１の上辺部より一定程度低くなっていることが望ましい。これにより、着用時に、上胸からカップ部１０１にかけてなだらかなシルエットを作ることができ、バストとカップ部１０１との間に段差ができることを防ぐことができる。
【００１５】
なお、本実施形態においては、芯材１０５は略扇形をしているものを用いたが、芯材１０５の形はこれに限られない。例えば、芯材１０５の上辺部が曲線状ではなく、直線状であってもよい。しかし、略扇形にすることにより、上カップ部１０１Ａ裏面（肌側）において芯材１０５がある部分と無い部分の境目がはっきりしてしまうことを防ぐことができるため、バストのカップ部１０１へのフィット感が向上し、さらにシルエットもきれいになる。
【００１６】
本実施形態においては、芯材１０５の下辺部の略中央部Ｔ２が、バストトップ部Ｔ１に重なるように取り付ける例を挙げているが、本発明は、これに限定されるものではない。例えば、バストトップＴ１以外の境界部分１０７に芯材１０５の下辺部の略中央部Ｔ２が重なるように取り付けても良い。
【００１７】
また、本実施形態では、芯材１０５の下辺部は境界部分１０７に取り付けられている例を挙げているが、本発明は、これに限定されるものではない。例えば、境界部分１０７に完全に沿わせて芯材１０５の下辺部を取り付けることが難しければ、多少、境界部分１０７に隣接する部分（すなわち、近傍部分）にはみ出して取り付けても良い。また、境界部分１０７に芯材１０５の下辺部を取り付ける代わりに、境界部分１０７に隣接する部分にだけ沿わせて芯材１０５の下辺部を取り付けるものとしても良い。ここで、上記隣接する部分とは、境界部分１０７の上下両縁部分から上カップ部１０１Ａ側、または、下カップ部１０１Ｂ側にそれぞれ１ｃｍ程度離間した部分までを含む意味である。これらの態様においても、上記実施形態に係るブラジャー１００と同様の効果を得ることができる。但し、上記境界部分１０７に沿わせて芯材１０５の下辺部を取り付ける方が本発明の実施態様としては、より好適である。
【００１８】
また、本実施形態において、芯材１０５の下辺部は、Ｔ２から直線状に延在する例を挙げて説明しているが、本発明はこれに限定されるものではない。縫着前において、θ１がθ２よりも小さくなるように形成されているのであれば、芯材１０５の下辺部は、例えば、境界部分１０７の形状に応じて、より直線的に形成しても良いし、曲線的に形成しても良い。また、仕様に応じて、部分的に上カップ部１０１Ａの下辺部の曲率よりも小さくなる部分が芯材１０５の下辺部に形成されていても良い。
【００１９】
芯材１０５は、不織布を素材として用いることが望ましい。他に、ウレタンシート、ダブルラッセル、ダブルニット等を用いることもできる。芯材１０５はカップ部１０１の肌側に取り付けられるため、着用感を良くするために肌あたりの良い素材を用いることが好ましい。なお、芯材１０５のさらに肌側にパワーネット等を縫着することもできる。この場合、パワーネット等は、上カップ部１０１Ａの裏面のみを覆うものでもよいし、カップ部１０１の裏面全体を覆うものでもよい。
【００２０】
本実施形態では、芯材１０５を縫着によって固着する方法を説明したが、これに限定されない。縫着に代えて、接着等の他の固着方法を採用することもできる。
【００２１】
本実施形態のブラジャーでは、下カップ部１０１Ｂのカップ支持部からカップ部の膨らみの頂点にかけての長さが、バージスラインの最下点から乳頭までのバスト表面の長さよりも長い。すなわち、下カップ部１０１Ｂのバージスラインからバストトップ部Ｔにかけての方向の長さＬが従来のブラジャーに比べて長く、バストトップ部Ｔの位置が高めになるように設定されている。例えば、Ｃカップ用のブラジャーであれば、従来のＤカップ用のブラジャーと同程度の下カップ部１０１Ｂの長さにすることが好ましい。これにより、下カップ部１０１Ｂ自体にバストを引き上げる効果を付与することができる。
【００２２】
また、下カップ部１０１Ｂの前記の構造と、芯材１０５によるダーツ効果により、非着用時のカップ部１０１は縦長の立体形状となる。これを着用することにより、バストの自重とバック部の引きによってカップ部が横に引かれ、同心円状の丸いシルエットとなる。
【００２３】
なお、本実施形態では、ブラジャー１００は、土台部１１０を介して、左右のカップ支持部１０２が連結されるとともに、カップ支持部１０２とバック部１０３とが連結されている例を挙げて説明した。しかし、本発明は、これに限定されるものではない。例えば、土台部１１０を備えない、いわゆるメガネタイプのブラジャーとしてもよい。より具体的には、バック部１０３がカップ支持部１０２に直接連結されるように前方へ延び、左右のカップ支持部１０２の前中心側部分同士を連結する連結部材を別途備える態様とすることができる。
【００２４】
本実施形態のブラジャーでは、連結係止部として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。
【００２５】
前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２６】
本実施形態においては、肩ストラップ１０４の一端はカップ部１０１に取り付けられ、他端はバック部１０３の上辺部に取り付けられた円環の係止具１０８Ａを通って反転し、エイト環からなる長さ調節具１０８Ｂに導入されることによって、肩ストラップ１０４の長さ調整が可能な状態で、肩ストラップ１０４の他端側が、バック部１０３の上辺部に取り付けられている。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。また、肩ストラップ１０４を有しない、ストラップレスの形態とすることもできる。
【００２７】
以上、第１の実施形態としては、３／４カップのブラジャーを例示して説明したが、本発明は、フルカップや１／２カップのブラジャー等にも適用することができる。また、本発明は、カップ支持部１０２にワイヤーを有さないノンワイヤータイプとすることもできる。ノンワイヤータイプのブラジャーは、ワイヤータイプのものと比べて、さらに着用時にカップ部１０１がバック部１０３に引かれて横に広がりやすいため、本発明によってそれを防ぎ、丸いシルエットを実現することができる。
【００２８】
（第２の実施形態）
図３（ａ）に、本発明のカップ部を有する衣類の第２の実施形態に係るブラジャー２００を示す。本実施形態では、下カップ部２０１Ｂの一端がストラップ部にまで延設されている他は、第１の実施形態と同様である。
【００２９】
本実施形態では、上カップ部２０１Ａの形状および面積が第１の実施形態と異なるため、芯材１０５Ａの形状も本実施形態の上カップ部２０１Ａに対応して変化している。すなわち、上カップ部２０１Ａの面積が狭くなったことに対応し、芯材１０５Ａの大きさも小さくなっている。また、上カップ部２０１Ａと下カップ部２０１Ｂの境界部分２０７がゆるやかな曲線となっているため、芯材１０５Ａの下辺部もこれに沿うように変化している。
【００３０】
本実施形態のように、上カップ部の形状や面積が変化しても、上カップ部の肌側のバストトップ部近傍に芯材を取り付けることにより、本発明の効果を得ることができる。これにより、本発明は様々なバリエーションの上カップ部に適用することができる。また、既存のブラジャーに本発明の構造を付加することもできる。
【００３１】
（第３の実施形態）
図３（ｂ）に、本発明のカップ部を有する衣類の第３の実施形態に係るブラジャー３００を示す。本実施形態では、下カップ部３０１Ｂが左右のパーツを接ぎ合わせて形成されるのではなく、一つのパーツでできている。そして、本実施形態の上カップ部３０１Ａは、脇上辺部をすべて含むパーツで形成されている。その他は、第１の実施形態と同様である。
【００３２】
本実施形態においては、上カップ部３０１Ａの面積が第１の実施形態に比べて広いため、芯材１０５Ｂの面積を第１の実施形態よりも大きくすることができる。そして、上カップ部３０１Ａと下カップ部３０１Ｂの境界部分３０７の形状に合わせて、芯材１０５Ｂの下辺部が変化している。
【００３３】
本実施形態のように、下カップ部の構造や形状が変化しても、上カップ部の肌側のバストトップ部近傍に芯材を取り付けることにより、本発明の効果を得ることができる。これにより、本発明は様々なバリエーションの下カップ部を有するブラジャーに適用することができる。また、上記のとおり、本発明は、上カップ部のバリエーションの変化にも対応できる。これにより、様々な態様の上カップ部と下カップ部の組み合わせに本発明を適用することができる。
【００３４】
（第４の実施形態）
図３（ｃ）に、本発明のカップ部を有する衣類の第４の実施形態に係るブラジャー４００を示す。本実施形態では、上カップ部４０１Ａの面積が第３の実施形態に比べて広く、境界部分４０７のカーブが大きい他は、第３の実施形態と同様である。
【００３５】
本実施形態では、上カップ部４０１Ａと下カップ部４０１Ｂの境界部分４０７が大きなカーブを描いているため、芯材１０５Ｃの下辺部も、これに沿った形状となっている。
【００３６】
本実施形態のように、上カップ部の面積が広くなっても、芯材の形状をそれに適したものにすることによって、第３の実施形態と同様の効果を得ることができる。
【００３７】
（第５の実施形態）
図３（ｄ）に、本発明のカップ部を有する衣類の第５の実施形態に係るブラジャー５００を示す。本実施形態では、下カップ部５０１Ｂの一端がストラップ部にまで延設されている他は、第３の実施形態と同様である。
【００３８】
本実施形態では、上カップ部５０１Ａの形状および面積が第３の実施形態と異なるため、芯材１０５Ｄの形状も本実施形態の上カップ部５０１Ａに対応して変化している。また、上カップ部５０１Ａと下カップ部５０１Ｂの境界部分５０７がゆるやかな曲線となっているため、芯材１０５Ｄの下辺部もこれに沿うように変化している。
【００３９】
本実施形態のように、上カップ部の形状が変化しても、芯材の形状を調整して上カップ部肌側のバストトップ部近傍に取り付けることにより、第３の実施形態と同様の効果を得ることができる。
【００４０】
（第６の実施形態）
図４に、本発明のカップ部を有する衣類の第６の実施形態に係るブラジャー６００を示す。本実施形態では、カップ部１０１が、カップ部１０１の下辺部および脇上辺部を含んだ略Ｕ字状の部材６０１Ｃと、略Ｕ字状部材で囲まれた内側部材とから構成されている。そして、前記内側部材は、上側部材６０１Ｅと下側部材６０１Ｄとから構成され、下カップ部６０１Ｂが、略Ｕ字状部材６０１Ｃと前記下側部材６０１Ｄとから構成され、上カップ部６０１Ａが、前記上側部材６０１Ｅから構成されている。その他は、第３の実施形態と同様である。
【００４１】
本実施形態では、上カップ部６０１Ａと下カップ部６０１Ｂの境界部分６０７が、第３の実施形態に比べて短くなっている。さらに、上カップ部６０１Ａの面積が、第３の実施形態に比べて狭くなっている。これらの変化に対応して、芯材１０５Ｅの形状も変化している。
【００４２】
本実施形態のように、上カップ部と下カップ部の構成要素が変化しても、上カップ部を構成する部分の肌側のバストトップ部近傍に芯材を取り付けることにより、本発明の効果を得ることができる。これにより、本発明は様々な構造を有するブラジャーに適用することができる。
【００４３】
（第７の実施形態）
図５に、本発明のカップ部を有する衣類の第７の実施形態に係るブラジャー７００を示す。本実施形態では、下カップ部７０１Ｂの肌側にも芯材１０５Ｇが取り付けられている。その他は、第３の実施形態と同様である。
【００４４】
本実施形態において、下カップ部７０１Ｂ側の芯材１０５Ｇは、上カップ部７０１Ａ側の芯材１０５Ｆと上下を逆にした状態でカップ部７０１に取り付けられている。固着前において、下カップ部７０１Ｂ側の芯材１０５Ｇの上辺部の各端点と前記上辺部の略中央部とを結ぶ二線で形成される内角の角度は、下カップ部７０１Ｂ上辺部の各端点とバストトップ部に該当する点を結ぶ二線で形成される内角の角度よりも小さく、芯材１０５Ｇの上辺部は、上カップ部７０１Ａ側の芯材１０５Ｆ、上カップ部７０１Ａ、下カップ部７０１Ｂが縫着されている境界部分７０７に沿って、カップ部１０１と固着されている。一方、芯材１０５Ｇの下辺部は、カップ部１０１と固着されていない。これにより、芯材１０５Ｇのダーツ効果によって下カップ部７０１Ｂにも上カップ部７０１Ａと同様に膨らみを作ることができる。そして、下カップ部７０１Ｂの着用時の広がりを防ぐ効果が大きくなる。
【００４５】
本実施形態では、下カップ部７０１Ｂ側の芯材１０５Ｇの大きさは、上カップ部７０１Ａ側の芯材１０５Ｆと同じ大きさに限られない。下カップ部７０１Ｂ側の芯材１０５Ｇの方が、上カップ部７０１Ａ側の芯材１０５Ｆよりも大きい場合や小さい場合があり、さらに厚みが異なったり、芯材の前記二線が形成する内角の大きさが異なったりしても良い。カップの所望の形状に応じて、芯材１０５Ｇの形状を適宜調整することができる。
【００４６】
本実施形態は、下カップ部７０１Ｂの着用時の広がりを防ぐ効果が大きいため、とくにノンワイヤータイプのブラジャーの場合に効果的である。ノンワイヤータイプの場合、カップ部がバック部にひかれ、とくに横に広がりやすいという特徴があるが、本実施形態によれば、バージスライン付近の形状が安定し、横に広がるのを防いで丸いきれいなシルエットを保つことができる。
【００４７】
なお、本実施形態では、第３の実施形態と同様の形状をしたブラジャー７００の下カップ部７０１Ｂに芯材を取り付けたが、本発明はこれに限定されず、他の実施形態に係る下カップ部に芯材を取り付けることもできる。
【００４８】
（第８の実施形態）
次に、図６（ａ）に本発明のカップ部を有する衣類のその他の例として、ブラキャミソール８００の斜視図を示す。
【００４９】
このブラキャミソール８００のブラジャー相当部分は、図１で説明したブラジャー１００とほぼ同一の概念のもとに設計されている。本態様においては、ブラキャミソール８００が、土台部１１０の下側に、身頃８０１を有している。本例では、身頃８０１が本発明におけるバック部を兼ねている。バック部を別途設けてその下に身頃８０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００５０】
（第９の実施形態）
図６（ｂ）に本発明のカップ部を有する衣類のその他の例として、ブラキャミソール９００の斜視図を示す。このブラキャミソール９００は、キャミソールの身頃内側にブラジャー相当部分が設けられており、前記ブラジャー相当部分は、図１で説明したブラジャー１００とほぼ同一の概念のもとに設計されている。本態様においては、ブラキャミソール９００は、ブラジャー相当部分を覆うように身頃９０１を有している。また、バック部１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例の構成にすることにより、カップ部１０１のデザインにかかわらず、着用時の外観のバリエーションを多様にすることができる。また、カップ部１０１を、よりアウターにひびかなくすることもできる。
【００５１】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００５２】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００５３】
１００、２００、３００、４００、５００、６００、７００  ブラジャー
１０１  カップ部
１０１Ａ、２０１Ａ、３０１Ａ、４０１Ａ、５０１Ａ、６０１Ａ、７０１Ａ  上カップ部
１０１Ｂ、２０１Ｂ、３０１Ｂ、４０１Ｂ、５０１Ｂ、６０１Ｂ、７０１Ｂ  下カップ部
１０２  カップ支持部
１０３  バック部
１０４  肩ストラップ
１０５、１０５Ａ〜Ｇ  芯材
１０７、２０７、３０７、４０７、５０７、６０７、７０７  境界部分
１０８Ａ  円環係止具
１０８Ｂ  長さ調節具
１１０  土台部
６０１Ｃ  略Ｕ字状部材
６０１Ｄ  略Ｕ字状部材で囲まれた内側部材の下側部材
６０１Ｅ  略Ｕ字状部材で囲まれた内側部材の上側部材
８００、９００  ブラキャミソール
８０１、９０１  身頃
Ｔ、Ｔ１  バストトップ位置
Ｔ２  芯材の要
Ｌ  バージスラインからバストトップ部にかけての方向の長さ
θ１、θ２  内角の角度
【図１】
0005725411.tif 000002
【図２】
0005725411.tif 000003
【図３】
0005725411.tif 000004
【図４】
0005725411.tif 000005
【図５】
0005725411.tif 000006
【図６】
0005725411.tif 000007